(57)【要約】【課題】ハーネス長を短くするとともに、ハーネスの挟み込みによる破損を防止することができる遊技機を提供する。【解決手段】パチンコ遊技機１を、ベース枠体８０を有する遊技盤部４８と、遊技盤部４８に配設される役物ユニット６０と、役物ユニット６０と接続されるサブ制御基板２５と、を備える構成とする。ベース枠体８０の、一方の側に役物ユニット６０が配置され、他方の側にサブ制御基板２５が配置され、中継基板９０が、ベース枠体８０の一方の側から他方の側に突き抜けるように配置され、役物ユニット６０は、中継基板９０を介してサブ制御基板２５と接続されている。【選択図】図６
2016146975.tif 000002
【特許請求の範囲】
【請求項１】
ベース枠体を有する遊技盤部と、前記遊技盤部に配設される役物ユニットと、前記役物ユニットと接続される基板と、を備える遊技機であって、
前記ベース枠体の、一方の側に前記役物ユニットが配置され、他方の側に前記基板が配置され、
中継部材が、前記ベース枠体の一方の側から他方の側に突き抜けるように配置され、
前記役物ユニットは、前記中継部材を介して前記基板と接続されていることを特徴とする遊技機。
【請求項２】
前記中継部材は、
前記役物ユニットに取り付けられドロワコネクタを有したユニット側ドロワ基板と、前記ベース枠体に取り付けられドロワコネクタを有したベース枠体側ドロワ基板と、で構成され、
前記ユニット側ドロワ基板の前記ドロワコネクタと前記ベース枠体側ドロワ基板の前記ドロワコネクタとが接続されていることを特徴とする請求項１記載の遊技機。
【発明の詳細な説明】
【技術分野】
【０００１】
本発明は、制御基板と、役物ユニットとの間を中継する中継部材を有する遊技機に関する。
【背景技術】
【０００２】
従来の遊技機として、前後方向に貫通する開口部を有した遊技盤と、開放した前部を遊技盤の背面に配置させるとともに、後部開放部の背面に液晶ユニットを配設し、かつ、ギミックを支持するベース枠体と、を備えた遊技機が特許文献１に記載されている。
【先行技術文献】
【特許文献】
【０００３】
【特許文献１】特開２０１３−１２８６５８号公報
【発明の概要】
【発明が解決しようとする課題】
【０００４】
しかし、特許文献１の遊技機では、ギミックから盤裏中継基板への接続は、ハーネスをベース枠体の外側に回してはわせなくてはならず、ハーネス長が長くなるとともに、ハーネスの挟み込みにより破損するおそれがあった。
【０００５】
本発明は、上記事情にかんがみて、ハーネス長を短くするとともに、ハーネスの挟み込みによる破損を防止することができる遊技機を提供することを目的とする。
【課題を解決するための手段】
【０００６】
本発明では、ベース枠体を有する遊技盤部と、前記遊技盤部に配設される役物ユニットと、前記役物ユニットと接続される基板と、を備える遊技機であって、前記ベース枠体の、一方の側に前記役物ユニットが配置され、他方の側に前記基板が配置され、中継部材が、前記ベース枠体の一方の側から他方の側に突き抜けるように配置され、前記役物ユニットは、前記中継部材を介して前記基板と接続されていることを特徴としている。
【０００７】
これによれば、中継部材が、ベース枠体の一方の側から他方の側に突き抜けていて、接続する部材としてのハーネスを、ベース枠体の外側に回してはわすことなく、中継部材と基板とを、ベース枠体の他方の側どうしで接続可能となるので、ハーネス長を短くするとともに、ハーネスの挟み込みによる破損を防止することができる。
【図面の簡単な説明】
【０００８】
【図１】本発明のパチンコ遊技機の一実施形態における正面図である。
【図２】同実施形態の遊技機枠を示す概略斜視図である。
【図３】同実施形態のパチンコ遊技機の背面図である。
【図４】同実施形態の遊技盤部の概略分解斜視図である。
【図５】同実施形態の遊技盤部の（ａ）は斜め前方からみた概略斜視図であり、（ｂ）は（ａ）から遊技盤を取り外した状態を示す概略斜視図である。
【図６】同実施形態の遊技盤部の正面からみた縦断面図である。
【図７】同実施形態のパチンコ遊技機の電気系統のブロック図である。
【図８】本発明の遊技盤部の変形例の概略説明図である。
【図９】本発明の遊技盤部の他の変形例の概略説明図である。
【発明を実施するための形態】
【０００９】
以下、本発明の一実施形態を図面に基づいて説明をする。以下の説明において、図１紙面における上下を上下方向、図１紙面における左右を左右方向、図１紙面における手前方向を前、紙面奥方向を後ろとする。
【００１０】
（１）パチンコ遊技機の構造
本発明の一例としてパチンコ遊技機に適用する場合について、図面に基づいて説明する。図１に示すように、実施形態のパチンコ遊技機１は、遊技機枠４０の内部に遊技盤２を取り付けて構成されている。
【００１１】
図１に示すように、遊技盤２には、発射ハンドル装置１１の操作により発射された遊技球が流下する遊技領域３が、レール部材１２で囲まれて形成されている。遊技領域３には、遊技球を誘導する案内釘（図示せず）が多数突設され、また、盤ランプ１９が配設されている。
【００１２】
また、遊技領域３には、液晶表示装置である画像表示器４の表示部４ａが、遊技領域３の中央部に前後に貫通する孔である開口部３ａから目視可能に配置されている。画像表示器４は、客待ち演出（客待ち用のデモ表示）、装飾図柄変動演出、大当たり遊技に並行して行われる大当たり演出などを表示部４ａに表示する。装飾図柄変動演出は、数字等の装飾図柄と装飾図柄以外の画像とにより構成されて、変動表示を経て停止表示された装飾図柄により、大当たり抽選（即ち、大当たり乱数の取得とその大当たり乱数を用いた判定）の結果を報知する演出である。この装飾図柄変動演出は、特別図柄変動に並行して行われる。また、大当たり抽選は、遊技球の第１始動口５１ａまたは第２始動口５１ｂへの入賞に対して行われる。
【００１３】
遊技領域３の中央部であって画像表示器４の前方には、役物ユニット６０が配置されている。また、表示部４ａの周縁部前方には、枠体部３１が配設されている。枠体部３１の下部には、上面を転動する遊技球を、第１始動口５１ａへと案内可能なステージ部３２が形成されている。枠体部３１の左部には、入口から遊技球を流入させ、出口からステージ部３２へ遊技球を流出するワープ部３３が配設されている。
【００１４】
また、遊技領域３の左右方向における中央下部には、始動入賞装置５が設けられている。始動入賞装置５は、遊技球の入球し易さが常時変わらない第１始動口５１ａと、電動チューリップ（以下、「電チュー」という。）５２により開閉される第２始動口５１ｂと、を備えている。電チュー５２は、電チューソレノイド５３（図７参照）により駆動される。第２始動口５１ｂは、電チュー５２が開いているときのみ遊技球が入賞可能となる。
【００１５】
また、遊技領域３には、大入賞装置７が設けられている。大入賞装置７は、始動入賞装置５の下方に配置されており、大入賞口７１と、大入賞口ソレノイド７２（図７参照）により動作する開閉部材７３とを備えている。大入賞口７１は、開閉部材７３により開閉される。
【００１６】
また、遊技領域３には、複数の普通入賞装置９及び遊技球が通過可能なゲート８が設けられている。各普通入賞装置９は、始動入賞装置５の左方に配置されている。各普通入賞装置９に入った遊技球は、その普通入賞装置９内の普通入賞口５５に入賞する。ゲート８は、画像表示器４の左方に配置されている。
【００１７】
遊技領域３の外側には、普通図柄表示器１３、第１特別図柄表示器１４ａ、及び、第２特別図柄表示器１４ｂが設けられるとともに、普通図柄保留ランプ１５、第１特別図柄保留ランプ１６ａ、第２特別図柄保留ランプ１６ｂがそれぞれ４つ設けられている。
【００１８】
第１特別図柄表示器１４ａ、第２特別図柄表示器１４ｂは、それぞれ、遊技球の第１始動口５１ａ、第２始動口５１ｂへの入賞を契機として行われる大当たり抽選の結果を、変動表示を経て停止表示された図柄（特別図柄）により報知する（これを「特別図柄変動」という）ものである。第１特別図柄表示器１４ａ、第２特別図柄表示器１４ｂに停止表示された図柄（特別図柄）が大当たり図柄又は小当たり図柄であれば、大入賞口７１を所定回数開閉する当たり遊技が行われる。
【００１９】
特別図柄の変動表示中または当たり遊技中に、遊技球が第１始動口５１ａまたは第２始動口５１ｂに入賞すると、メイン制御基板２０（図７参照）は、その入賞に対して取得した大当たり乱数等の乱数を、第１始動口５１ａへの入賞であれば第１保留記憶部２７ａ（図７参照）に、第２始動口５１ｂへの入賞であれば第２保留記憶部２７ｂ（図７参照）に、保留記憶として記憶する。そして、特別図柄変動を実行可能になったときに、記憶しておいた保留記憶に基づいて大当たりか否かの判定を行い、特別図柄変動を実行する。
【００２０】
第１特別図柄保留ランプ１６ａ、第２特別図柄保留ランプ１６ｂは、それぞれ、第１保留記憶部２７ａ、第２保留記憶部２７ｂに記憶されている保留記憶の個数を表示するものである。なお、第１保留記憶部２７ａ、第２保留記憶部２７ｂに記憶される保留記憶の個数は、それぞれ４個が上限とされているため、第１保留記憶部２７ａに４個の保留記憶がある状態で遊技球が第１始動口５１ａに入賞したときや、第２保留記憶部２７ｂに４個の保留記憶がある状態で遊技球が第２始動口５１ｂに入賞したときは、その入賞に対して大当たり乱数等の乱数は取得されない。
【００２１】
普通図柄表示器１３は、ゲート８への遊技球の通過を契機として行われる普通図柄抽選の結果を、変動表示を経て停止表示される普通図柄により報知するものである。停止表示された普通図柄が当たり図柄であれば、所定時間及び所定回数、電チュー５２を開く補助遊技が行われる。
【００２２】
普通図柄の変動表示中または補助遊技中に、遊技球がゲート８を通過すると、メイン制御基板２０（図７参照）は、その通過に対して取得した当たり乱数を記憶する。そして、普通図柄の変動表示を開始可能な状態になったときに、記憶しておいた当たり乱数を用いて当たりか否かの判定を行い、普通図柄の変動表示を開始して、その判定結果を示す普通図柄を停止表示する。普通図柄保留ランプ１５は、このように記憶されている当たり乱数の個数を表示するものである。なお、記憶される当たり乱数は４個が上限とされているため、４個の当たり乱数が記憶されている状態で遊技球がゲート８を通過しても、その通過に対する当たり乱数の取得は行われない。
【００２３】
図２に示すように、遊技機枠４０は、外枠４１と内枠４２とガラス扉枠４３とを備えている。外枠４１は、パチンコ遊技機１の外郭部となる枠体であり、内枠４２は、遊技盤２が取り付けられる枠体であり、ガラス扉枠４３は、遊技盤面を保護するとともに発射ハンドル装置１１などが配設される枠体である。遊技機枠４０は、左端部にヒンジ部４５を備えて構成され、ヒンジ部４５により、ガラス扉枠４３は、外枠４１および内枠４２に対してそれぞれ回動自在とされ、内枠４２は、外枠４１およびガラス扉枠４３に対してそれぞれ回動自在とされている。
【００２４】
図１、３等に示すように、ガラス扉枠４３は、前面下部に、受け皿ユニット３５を備える。受け皿ユニット３５は、球受け皿３６および演出ボタン３７を備える。また、ガラス扉枠４３は、受け皿ユニット３５の右方に、発射ハンドル装置１１を備える。
【００２５】
球受け皿３６は、図示しない賞球払出装置から払い出された遊技球を一時貯留すると共に、遊技球を整列状態として図示しない球送り機構部に送る流路となるものである。発射ハンドル装置１１は、遊技球の発射操作を行うものである。発射ハンドル装置１１が操作されると、球送り機構部により、球受け皿３６から図示しない発射レール（Ｍレール）の発射部へ遊技球が送られ、発射部に送られた遊技球は、図示しない打球機構部の槌により叩かれて遊技領域３へ打ち出される。演出ボタン３７は、遊技中に実行される演出に合わせて遊技者が押下操作するもので、遊技者の遊技への関与度を高める効果を発揮するものである。
【００２６】
また、ガラス扉枠４３は、受け皿ユニット３５の上方に、遊技領域３を視認可能な透視窓としてガラス板３９を備えている。少なくとも遊技領域３の前方はガラス板３９が配される。その他、ガラス扉枠４３には、スピーカ１７、及び、枠ランプ１８が配設されている。
【００２７】
役物ユニット６０は、後述するランプ制御基板２４（図７参照）に接続されており、演出制御基板２２によりランプ制御基板２４を介して動作、表示等が制御される。
【００２８】
遊技盤２は、内枠４２に対して前方から取り付けられる。内枠４２に取り付けられた遊技盤２は、図示しない固定部材で、内枠４２から外れるのを規制される。
【００２９】
図２に示すように、内枠４２は、合成樹脂製とされ、前方から見て中央が貫通された略長方形の枠形状とされている。内枠４２に遊技盤２を取り付けた状態では、中央の貫通部から、画像表示器４、ベース枠体８０、メイン基板ケース８５などが後方へ突出する。
【００３０】
図３は、パチンコ遊技機１の背面側を示す概略図であり、図４は、パチンコ遊技機１が備える遊技盤２の背面側を示す概略分解斜視図である。パチンコ遊技機１は、遊技盤２と、遊技盤２の裏面２ａ側に取り付けられるベース枠体８０と、ベース枠体８０の外表面に取り付けられるメイン基板ケース８５とを備えている。
【００３１】
遊技盤２は、後方にベース枠体８０（役物ユニットの後ろ側を構成する部材）を配置させ、その後方から画像表示器４を配置させている。
【００３２】
遊技盤部４８は、図４等に示すように、遊技盤２と、ベース枠体８０と、を有するユニットとして構成されている。
【００３３】
ベース枠体８０は、無色透明又は有色透明の合成樹脂材料（例えば、透明なポリカーボネート等）から形成されている。ベース枠体８０は、筒状の周壁部８１と、周壁部８１の前縁から外方へ延設されたフランジ部８２と、周壁部８１の後端部から中心方向に突出する後壁部８３と、を有している。ベース枠体８０は、ネジなどの締結手段を用いて、フランジ部８２を遊技盤２の裏面２ａ側の周縁部に締結することにより、遊技盤２に取り付けられ、遊技盤２の裏面２ａ側において上側下側左側右側および後側を略覆うものである。また、後壁部８３に、開閉可能な図示しない盤裏カバーが配設されている。
【００３４】
ベース枠体８０が遊技盤２に取り付けられた状態において、ベース枠体８０と遊技盤２との間に形成される略閉鎖された内部空間には、画像表示器４およびベース枠体８０が配置され、盤裏カバーを開くと画像表示器４の後部が露出する。
【００３５】
ベース枠体８０の外表面には、メイン基板ケース８５が配される。図３に示すように、メイン基板ケース８５は、透明なポリカーボネート等の合成樹脂で略箱形状に形成され、内部にパチンコ遊技を制御するメイン制御基板２０（図３参照）が収納されている。
【００３６】
本発明のパチンコ遊技機１は、図１、３等に示すように、ベース枠体８０を有する遊技盤部４８と、遊技盤部４８に配設される役物ユニット６０と、役物ユニット６０と接続されるサブ制御基板２５（特許請求の範囲の基板に相当する）と、を備えている。
【００３７】
役物ユニット６０は、中継基板９０を介してサブ制御基板２５のランプ制御基板２４と接続され、さらにメイン制御基板２０と接続されている。（図７参照）また、中継基板９０（特許請求の範囲の中継部材に相当する）は、ベース枠体８０の一方の側から他方の側に突き抜けるように配置されている。
【００３８】
本実施形態では、図６に示すように、ベース枠体８０に挿通孔８０ａが四か所形成され、各中継基板９０のドロワコネクタ１００ａ、１１０ａが挿通孔８０ａをそれぞれ挿通する構成とされている。詳説すれば、それぞれ周壁部８１の内側から外側に突き抜けるように構成されている。
【００３９】
ここで、ベース枠体８０の「一方の側と他方の側」とは、一方の側が、ベース枠体８０の周壁部８１、後壁部８３の内周面側及びフランジ部８２の前面側とされ、他方の側が、ベース枠体８０の周壁部８１、後壁部８３の外周面側及びフランジ部８２の後面側とされるものとする。
【００４０】
役物ユニット６０は、図１、４〜６等に示すように、（区別するときは、右上側に位置する役物ユニット６０を役物ユニット６０１、右下側に位置する役物ユニット６０を役物ユニット６０２、左上側に位置する役物ユニット６０を役物ユニット６０３、左下側位置する役物ユニット６０を役物ユニット６０４、とする）画像表示器４の前方、かつ、ベース枠体８０の周壁部８１の内側に配置され、遊技盤２、ベース枠体８０に図示しない取付部材を介してそれぞれ取り付けられている。
【００４１】
中継基板９０（特許請求の範囲の中継部材に相当する）は、図６に示すように、役物ユニット６０に取り付けられるユニット側ドロワ基板１００と、ベース枠体８０に取り付けられるベース枠体側ドロワ基板１１０と、で構成されている。
【００４２】
ユニット側ドロワ基板１００としては、図６に示すように、役物ユニット６０１に配設されるユニット側ドロワ基板１００１と、役物ユニット６０２に配設されるユニット側ドロワ基板１００２と、役物ユニット６０３に配設されるユニット側ドロワ基板１００３と、役物ユニット６０１に配設されるユニット側ドロワ基板１００４と、がある。
【００４３】
各ユニット側ドロワ基板１００は、ベース枠体側ドロワ基板１１０から、ベース枠体８０の内側に向かって突出するドロワコネクタ１００ａを有している。本実施形態では、ドロワコネクタ１００ａは、ハウジング、接触子、ガイドを備えたプリント基板装着用で、ドロワコネクタ１１０ａと嵌合可能なものが用いられている。
【００４４】
ベース枠体側ドロワ基板１１０としては、図６に示すように、ユニット側ドロワ基板１００１と対向する位置にあるベース枠体側ドロワ基板１１０１、ユニット側ドロワ基板１００２と対向する位置にあるベース枠体側ドロワ基板１１０２、ユニット側ドロワ基板１００３と対向する位置にあるベース枠体側ドロワ基板１１０３、ユニット側ドロワ基板１００４と対向する位置にあるベース枠体側ドロワ基板１１０４、がある。
【００４５】
各ベース枠体側ドロワ基板１１０は、ベース枠体側ドロワ基板１１０から、ベース枠体８０の外側に向かって突出するドロワコネクタ１１０ａを有している。本実施形態では、ドロワコネクタ１１０ａは、ハウジング、接触子、ガイドを備えたプリント基板装着用で、ドロワコネクタ１００ａと嵌合可能なものが用いられている。
【００４６】
中継基板９０は、図６に示すように、対応する位置に配置される、ユニット側ドロワ基板１００のドロワコネクタ１００ａとベース枠体側ドロワ基板１１０のドロワコネクタ１１０ａと、が接続されている。
本実施形態では、中継基板９０は、ベース枠体８０に形成された挿通孔８０ａを、上記のドロワコネクタ１００ａ、１１０ａどうしが接続された接続部分が、ベース枠体８０の周壁部８１を内側から外側に突き抜けるように構成されている。
【００４７】
詳説すれば、ユニット側ドロワ基板１００１のドロワコネクタ１００ａとベース枠体側ドロワ基板１１０１のドロワコネクタ１１０ａとが接続された接続部分、及び、ユニット側ドロワ基板１００４のドロワコネクタ１００ａとベース枠体側ドロワ基板１１０４のドロワコネクタ１１０ａとが接続された接続部分、はベース枠体８０の周壁部８１を上下方向に、ユニット側ドロワ基板１００２のドロワコネクタ１００ａとベース枠体側ドロワ基板１１０２のドロワコネクタ１１０ａとが接続された接続部分、及び、ユニット側ドロワ基板１００３のドロワコネクタ１００ａとベース枠体側ドロワ基板１１０３のドロワコネクタ１１０ａとが接続された接続部分、はベース枠体８０の周壁部８１を左右方向に、突き抜けている。
【００４８】
（２）パチンコ遊技機の電気系統
次に、図７に基づいて実施形態のパチンコ遊技機１の電気系統について説明する。図７に示すように、実施形態のパチンコ遊技機１は、メイン制御基板２０、払出制御基板２１、サブ制御基板２５を備え、サブ制御基板２５は、演出制御基板２２、画像制御基板２３、及び、ランプ制御基板２４を備えている。そして、払出制御基板２１及び演出制御基板２２はメイン制御基板２０に接続され、画像制御基板２３及びランプ制御基板２４は演出制御基板２２に接続されている。各制御基板は、ＣＰＵ、ＲＯＭ、ＲＡＭ等を備えている。また、メイン制御基板２０は、ＲＡＭ内に、第１保留記憶部２７ａ及び第２保留記憶部２７ｂを有する保留記憶部２７を備えている。
【００４９】
メイン制御基板２０は、大当たりの抽選や遊技状態の移行など主に利益に関わる制御を行うものである。メイン制御基板２０には、第１始動口５１ａ内に設けられて第１始動口５１ａに入賞した遊技球を検出する第１始動口ＳＷ（スイッチ）５４ａ、第２始動口５１ｂ内に設けられて第２始動口５１ｂに入賞した遊技球を検出する第２始動口ＳＷ５４ｂ、電チュー５２を駆動する電チューソレノイド５３、大入賞口７１内に設けられて大入賞口７１に入賞した遊技球を検出する大入賞口ＳＷ７４、開閉部材７３を駆動する大入賞口ソレノイド７２、各普通入賞口５５内にそれぞれ設けられてその普通入賞口５５に入賞した遊技球を検出する普通入賞口ＳＷ５６、第１特別図柄保留ランプ１６ａ、第２特別図柄保留ランプ１６ｂ、普通図柄保留ランプ１５、第１特別図柄表示器１４ａ、第２特別図柄表示器１４ｂ、普通図柄表示器１３がそれぞれ接続され、図７に矢印で示すように、各スイッチからはメイン制御基板２０に信号が入力され、各ソレノイドやランプ等にはメイン制御基板２０から信号が出力される。
【００５０】
また、メイン制御基板２０は、払出制御基板２１に各種コマンドを送信するとともに、払い出し監視のために払出制御基板２１から信号を受信する。払出制御基板２１には、図示しない払出装置を駆動する払出駆動モータ２６が接続され、払出制御基板２１は、メイン制御基板２０から受信したコマンドに従って払出駆動モータ２６を動作させ、賞球の払出を行わせる。
【００５１】
さらに、メイン制御基板２０は、演出制御基板２２に対し各種コマンドを送信し、演出制御基板２２は、画像制御基板２３との間でコマンドや信号の送受信を行う。画像制御基板２３には画像表示器４及びスピーカ１７が接続され、画像制御基板２３は、演出制御基板２２から受信したコマンドに従って、画像表示器４の表示部４ａに装飾図柄その他の画像を表示し、スピーカ１７から音声を出力する。また、演出制御基板２２は、ランプ制御基板２４との間でコマンドや信号の送受信を行う。ランプ制御基板２４には枠ランプ１８、及び盤ランプ１９が接続され、ランプ制御基板２４は、演出制御基板２２から受信したコマンドに従って、枠ランプ１８や盤ランプ１９を点灯・消灯する。なお、画像表示器４は、非接触電力供給、非接触通信で、演出制御基板２２及び電源と接続することも可能である。
【００５２】
また、ランプ制御基板２４には、中継基板９０を介して役物ユニット６０が接続され、ランプ制御基板２４は、演出制御基板２２から受信したコマンドに従って、役物ユニット６０を作動させる。なお、中継基板９０とランプ制御基板２４とは図示しないハーネスで接続されている。
【００５３】
また、演出制御基板２２には、演出ボタン３７が押下操作されたことを検出する演出ボタン検出ＳＷ３７ａが接続されており、演出ボタン３７（図１参照）が押下されると、演出ボタン検出ＳＷ３７ａから演出制御基板２２に対して信号が出力される。
【００５４】
パチンコ遊技機１では、ベース枠体８０を有する遊技盤部４８と、遊技盤部４８に配設される役物ユニット６０と、役物ユニット６０と接続されるサブ制御基板２５と、を備える遊技機であって、ベース枠体８０の、一方の側に役物ユニット６０が配置され、他方の側にサブ制御基板２５が配置され、中継基板９０が、ベース枠体８０の一方の側から他方の側に突き抜けるように配置され、役物ユニット６０は、中継基板９０を介してサブ制御基板２５と接続されていることを特徴としている。
【００５５】
これによれば、中継基板９０が、ベース枠体８０の一方の側から他方の側に突き抜けていて、接続する部材としてのハーネスを、ベース枠体８０の外側に回してはわすことなく、中継基板９０とサブ制御基板２５とを、ベース枠体８０の他方の側どうしで接続可能となるので、ハーネス長を短くするとともに、ハーネスの挟み込みによる破損を防止することができる。
【００５６】
また、中継基板９０は、役物ユニット６０に取り付けられドロワコネクタ１００ａを有したユニット側ドロワ基板１００と、ベース枠体８０に取り付けられドロワコネクタ１１０ａを有したベース枠体側ドロワ基板１１０と、で構成され、ユニット側ドロワ基板１００のドロワコネクタ１００ａとベース枠体側ドロワ基板１１０のドロワコネクタ１１０ａとが接続されている。
【００５７】
これによれば、対応する、ドロワコネクタ１００ａと、ドロワコネクタ１１０ａとの接続により配線作業が少なくなり、組立作業の効率を向上させることができる。
【００５８】
また、ベース枠体側ドロワ基板１１０と、ランプ制御基板２４とがハーネスを介して接続されているので、パチンコ遊技機１の後側どうしのハーネス接続となり、ベース枠体８０の内側から外側に、ハーネスをはわせなくてよくなるので、接続作業がしやすくなるとともにハーネスの破損をなくすことができる。
【００５９】
本発明のパチンコ遊技機は上記構成に限定されるものではない。即ち、本発明の要旨を逸脱しない限り各種の設計変更等が可能である。
【００６０】
また、中継基板９０を、図８に示すように、ユニット側ドロワ基板１００のドロワコネクタ１００ａが、ベース枠体８０の後壁部８３を突き抜ける構成とすることも可能である。このようにすれば、ベース枠体側ドロワ基板１１０のスペースを無くすことができるので、役物ユニット６０の領域を大きくすることができる。
【００６１】
また、図９の左側に示すように、ベース枠体８０のフランジ部８２に切り欠き８０ｅを設けて、ユニット側ドロワ基板１００のドロワコネクタ１００ａと、ベース枠体側ドロワ基板１１０のドロワコネクタ１１０ａが突き抜ける構成とすることも可能である。
【００６２】
また、図９の右側に示すように、ベース枠体８０のフランジ部８２に切り欠き８０ｅを設けて、ユニット側ドロワ基板１００のドロワコネクタ１００ａが、ベース枠体８０のフランジ部８２を突き抜ける構成とすることも可能である。また、本発明においては、ドロワコネクタ１００ａ、ドロワコネクタ１１０ａは、ハウジングが凹凸形状で嵌め合い可能なコネクタを含むものとする。
【００６３】
また、中継部材としてのハーネスＨを、ベース枠体８０の一方の側から他方の側に突き抜けるように配置して、役物ユニット６０と、メイン制御基板２０とをサブ制御基板２５を介して接続することも可能である。また、中継部材として、ドロワコネクタと呼ばれるものでなくても、ハーネスを用いずに直接連結できるようなコネクタを用いることもできる。
【００６４】
また、役物ユニット６０は、サブ制御基板２５ではなくメイン制御基板２０と接続、制御され、大入賞装置７として使用することも可能である。この場合には、特許請求の範囲の基板は、メイン制御基板２０となる。
【符号の説明】
【００６５】
１      パチンコ遊技機
２      遊技盤
２ａ    裏面
２０    メイン制御基板
２５    サブ制御基板
４８    遊技盤部
６０    役物ユニット
６０１  役物ユニット
６０２  役物ユニット
６０３  役物ユニット
６０４  役物ユニット
８０    ベース枠体
９０    中継基板
１００  ユニット側ドロワ基板
１００ａ  ドロワコネクタ
１００１  ユニット側ドロワ基板
１００２  ユニット側ドロワ基板
１００３  ユニット側ドロワ基板
１００４  ユニット側ドロワ基板
１１０  ベース枠体側ドロワ基板
１１０ａ  ドロワコネクタ
１１０１  ベース枠体側ドロワ基板
１１０２  ベース枠体側ドロワ基板
１１０３  ベース枠体側ドロワ基板
１１０４  ベース枠体側ドロワ基板
【図１】
2016146975.tif 000003
【図２】
2016146975.tif 000004
【図３】
2016146975.tif 000005
【図４】
2016146975.tif 000006
【図５】
2016146975.tif 000007
【図６】
2016146975.tif 000008
【図７】
2016146975.tif 000009
【図８】
2016146975.tif 000010
【図９】
2016146975.tif 000011
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
ベース枠体を有する遊技盤部と、前記遊技盤部に配設される役物ユニットと、前記役物ユニットと接続される基板と、を備える遊技機であって、
前記ベース枠体の、一方の側に前記役物ユニットが配置され、他方の側に前記基板が配置され、
中継部材が、前記ベース枠体の一方の側から他方の側に突き抜けるように配置され、
前記中継部材は、互いに嵌め合い可能とされる、前記役物ユニットに配置されるユニット側中継部材と、前記ベース枠体に配置されるベース枠体側中継部材と、を有し、
前記ユニット側中継部材と前記ベース枠体側中継部材とが嵌め合わされて接続され、
前記役物ユニットは、前記中継部材を介して前記基板と接続されていることを特徴とする遊技機。
【手続補正２】
【補正対象書類名】明細書
【補正対象項目名】０００６
【補正方法】変更
【補正の内容】
【０００６】
本発明では、ベース枠体を有する遊技盤部と、前記遊技盤部に配設される役物ユニットと、前記役物ユニットと接続される基板と、を備える遊技機であって、前記ベース枠体の、一方の側に前記役物ユニットが配置され、他方の側に前記基板が配置され、中継部材が、前記ベース枠体の一方の側から他方の側に突き抜けるように配置され、前記中継部材は、互いに嵌め合い可能とされる、前記役物ユニットに配置されるユニット側中継部材と、前記ベース枠体に配置されるベース枠体側中継部材と、を有し、前記ユニット側中継部材と前記ベース枠体側中継部材とが嵌め合わされて接続され、前記役物ユニットは、前記中継部材を介して前記基板と接続されていることを特徴としている。